(57)【要約】【課題】搬送時や保管時などでの変形等を起こすことなく、良好な形状のままで圧着加工作業を行うことができるとともに、圧着加工時にスプリングバックの発生を効果的に抑制することが可能となる圧着バレルの圧着構造を提供する。【解決手段】圧着によって導体加締片２３Ａ，２３Ｂが曲げられた底板部２１の外側には、該底板部２１に載置された導体Ｗ１の軸線方向に沿う一端から他端までの間の任意箇所に、溝Ｇ１，Ｇ２が形成されている。【選択図】図２
2010140807.tif 000002
【特許請求の範囲】
【請求項１】
底板部と、該底板部の幅方向の左右両側縁から上方に延設され、かつ、接続すべき電線の導体を包み込むように内側に曲げられることで前記導体を前記底板部の上面に加締める複数の導体加締片と、を有する導体圧着部を備え、前記導体圧着部によって前記導体を圧着する圧着バレルの圧着構造であって、
圧着によって前記導体加締片が曲げられた前記底板部の外側には、該底板部に載置された前記導体の軸線方向に沿う一端から他端までの間の任意箇所に、溝又は窪みが形成されていることを特徴とする圧着バレルの圧着構造。
【請求項２】
前記溝又は窪みは、前記底板部に載置された前記導体の軸線方向に沿う一端から他端に至るまで連続して形成されていることを特徴とする請求項１に記載の圧着バレルの圧着構造。
【請求項３】
前記溝又は窪みは、前記底板部に載置された前記導体の軸線方向に沿う一端から他端に至るまでの間で不連続に形成されていることを特徴とする請求項１に記載の圧着バレルの圧着構造。
【請求項４】
請求項１から３のいずれか一項に記載の圧着構造を有するバレルを、少なくとも一部に備えたことを特徴とする圧着端子。
【請求項５】
請求項１から３のいずれか一項に記載の圧着バレルと前記導体とを圧着する圧着装置であって、
前記底板部の下面が載置されるアンビルには、前記導体圧着部によって前記導体を加締める際の前記底板部における、前記溝又は窪みが形成されるべき箇所に臨む位置に、突起が形成されている、
ことを特徴とする圧着装置。
【発明の詳細な説明】
【技術分野】
【０００１】
本発明は、底板部と、この底板部の両側縁から上方に延長し、かつ、接続すべき電線の導体を包み込むように内側に曲げることで導体を底板部上面に密着状態となるように加締めることができる導体加締片と、を有する圧着バレルの圧着構造、この圧着構造を有する圧着端子、及びこの圧着バレルと導体とを圧着する圧着装置に関するものである。
【背景技術】
【０００２】
従来、この種の圧着端子としては、例えば以下の特許文献１などに開示されているものが知られている。即ち、この圧着端子１００は、図７に示すように、後端部に一対の固着片１０１が立ち上げ形成されており、各固着片１０１は、電線１０２が挿通されたゴム栓１０３に対して巻き付けられるようにかしめ付けられることで、ゴム栓１０３を電線１０２とともに圧着させるようになっている。また、各固着片１０１は、互いに前後方向に位置がずれており、前後方向でラップした状態でゴム栓１０３に巻き付けられ、各固着片１０１の先端同士が互いに当接したり、上下方向で重なり合うことのないようにしてある。そして、この圧着端子１００は、電線１０２が挿通されたゴム栓１０３とともに、図示しない防水コネクタハウジングのキャビティ内に挿入され、相手圧着端子との導通を取るようになっている。
【０００３】
ところが、この圧着端子１００は、弾性反力をもってゴム栓１０３に巻き付けられているため、かしめ後にスプリングバックが起こり、同図に示すように、各固着片１０１の先端部が浮き上がってしまう事態が生じ得る。そうすると、防水コネクタハウジングのキャビティの内壁面（鏡面仕上げ）と各固着片１０１の先端部とが干渉してキャビティの内壁面を傷付ける懸念がある。そこで、先の特許文献１には、端子金具のスプリングバックの発生を抑制するための圧着端子２００も提案されている。
【０００４】
即ち、図８（Ａ）に示すように、この圧着端子２００は、後端部に一対のかしめ片２０１を立ち上げてなり、各かしめ片２０１は、同図（Ｂ）に示すように、前後方向に交互に位置がずれた状態で、電線３００が嵌着されたゴム栓３０１に巻き付けられてかしめ付けられるようになっている。また、各かしめ片２０１には、先端部から根元部側に向かって薄肉化された薄肉部２０２を備えており、その部分の剛性を低下させて内向きの曲げ変形動作を容易にしている。これにより、スプリングバックの発生が効果的に抑制される。
【特許文献１】特開２００４−３０３５２６号公報
【発明の開示】
【発明が解決しようとする課題】
【０００５】
このような圧着端子は、上述したように、薄肉化させることで剛性を低下させ、圧着加工時にスプリングバックの発生を効果的に抑制させるように構成してある。
【０００６】
ところが、このような薄肉化を予め施してあると、圧着加工を行う前の、圧着端子を作業現場などへの搬送の際や、圧着作業を行うまでの保管中などに、各かしめ片（圧着バレル）の脆弱な薄肉部分になんらかの外力が作用することで形状が変形する虞がある。その結果、各かしめ片（圧着バレル）に対して良好な加締め加工を行うことができずに、電線の導体に対しても接触不良を発生する場合もある。
【０００７】
本発明は、上述した事情に鑑みてなされたものであり、その目的は、圧着加工を行うまでの間に変形等を起こすことなく、良好な形状のままで圧着加工作業を行うことができるとともに、圧着加工時にスプリングバックの発生を効果的に抑制することが可能となる圧着バレルの圧着構造、圧着端子、及び圧着装置を提供することにある。
【課題を解決するための手段】
【０００８】
前述した目的を達成するために、本発明に係る圧着バレルの圧着構造は、下記（１）〜（３）を特徴としている。
（１）  底板部と、該底板部の幅方向の左右両側縁から上方に延設され、かつ、接続すべき電線の導体を包み込むように内側に曲げられることで前記導体を前記底板部の上面に加締める複数の導体加締片と、を有する導体圧着部を備え、前記導体圧着部によって前記導体を圧着する圧着バレルの圧着構造であって、
圧着によって前記導体加締片が曲げられた前記底板部の外側には、該底板部に載置された前記導体の軸線方向に沿う一端から他端までの間の任意箇所に、溝又は窪みが形成されていること。
（２）  上記（１）の構成の圧着バレルの圧着構造において、
前記溝又は窪みは、前記底板部に載置された前記導体の軸線方向に沿う一端から他端に至るまで連続して形成されていること。
（３）  上記（１）構成の圧着バレルの圧着構造において、
前記溝又は窪みは、前記底板部に載置された前記導体の軸線方向に沿う一端から他端に至るまでの間で不連続に形成されていること。
【０００９】
上記（１）の構成の圧着バレルの圧着構造によれば、圧着によって曲げられた底板部の外側には、該底板部に載置された導体の軸線方向に沿う一端から他端までの間の任意箇所に、溝又は窪みが形成されている、換言すれば圧着加工を行う直前までは、導体圧着部に薄肉部分となる溝や窪みを形成していないので、搬送時や保管中などに変形等を起こすことなく、良好な形状のままで圧着加工作業を行うことができる。また、圧着加工時の曲げ変形に伴って発生するスプリングバックの発生を、その溝又は窪みを設けた薄肉部分で効果的に減殺させて抑制することが可能となる。これにより、導体圧着部と電線導体との間に隙間が発生して電気的接触不良などのトラブルが起きるのを抑制できるので、信頼性の高い圧着構造が提供できる。
上記（２）の構成の圧着バレルの圧着構造によれば、圧着加工時にスプリングバックの発生をより一層抑制可能となるので、より一層信頼性の高い圧着構造が提供できる。
上記（３）の構成の圧着バレルの圧着構造によれば、溝又は窪みが不連続に形成されるので、信頼性の高い圧着構造が得られるのと同時に、強度も良好な確保できる。
【００１０】
前述した目的を達成するために、本発明に係る圧着バレルの圧着構造は、下記（４）を特徴としている。
（４）  本発明に係る圧着端子は、（１）から（３）のいずれか一つに記載の圧着構造を有するバレルを、少なくとも一部に備えたこと。
【００１１】
上記（４）の構成の圧着端子によれば、裸圧着スリーブなどだけでなく、一部にこの圧着構造を有する圧着端子に対しても、信頼性の高い圧着構造が提供できる。
【００１２】
前述した目的を達成するために、本発明に係る圧着装置は、下記（５）を特徴としている。
（５）  上記（１）から（３）のいずれか一つの圧着バレルと前記導体とを圧着する圧着装置であって、
前記底板部の下面が載置されるアンビルには、前記導体圧着部によって前記導体を加締める際の前記底板部における、前記溝又は窪みが形成されるべき箇所に臨む位置に、突起が形成されている、
こと。
【００１３】
上記（５）の構成の圧着装置によれば、圧着によって曲げられた底板部の外側には、該底板部に載置された導体の軸線方向に沿う一端から他端までの間の任意箇所に、溝又は窪みが形成されている、換言すれば圧着加工を行う直前までは、導体圧着部に薄肉部分となる溝や窪みを形成していないので、搬送時や保管中などに変形等を起こすことなく、良好な形状のままで圧着加工作業を行うことができる。また、圧着加工時の曲げ変形に伴って発生するスプリングバックの発生を、その溝又は窪みを設けた薄肉部分で効果的に減殺させて抑制することが可能となる。これにより、導体圧着部と電線導体との間に隙間が発生して電気的接触不良などのトラブルが起きるのを抑制できるので、信頼性の高い圧着構造が提供できる。
【発明の効果】
【００１４】
本発明の圧着バレルの圧着構造によれば、圧着加工による圧着バレルを形成する直前までの製品を製造した後に、電線を圧着させるまで保管している間や電線との接続作業を行う現場まで搬送させる間、導体圧着部に薄肉状の箇所が形成されていない状態を保持できるので、外力などが作用しても変形することなく、安全確実な保管や搬送等が実現可能となる。その結果、良好な形状のままで圧着加工作業を確実に安定して行うことができる。
【００１５】
また、圧着加工の際に、前述した溝又は窪みを形成させており、圧着加工時にスプリングバックの発生を効果的に抑制可能となるので、導体圧着部と電線導体との間に隙間が発生して電気的な接触不良などが起きるのを抑止でき、信頼性の高い圧着構造が提供できる。
【００１６】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１７】
以下、本発明に係る好適な実施形態を添付図面に基づいて詳細に説明する。
【００１８】
図１は本発明の圧着バレルの圧着構造を有する圧着端子１０を示すものである。この圧着端子１０は、導電性金属の板材をプレス成形することにより形成されたものであって、圧着装置（又は圧着治具など）による圧着作業を行う前の構成 (同図（Ａ）参照) 及び圧着後(同図（Ｂ）参照)の構成を示すものであり、この圧着端子１０は、底板部２０と、この底板部２０のうちの前方（図1では手前）側に設けた電線接続部２１と、底板部２０のうちの後方（図１では後部）側に設けた電気接触部２２と、を備えている。なお、同図中、Ｗは電線、Ｗ１は芯線を示す。
【００１９】
このうち、特に、圧着前の電気接触部２２には、図１（Ａ）に示すように、底板部２０の両側から起立連成した一対の導体圧着部２３及び絶縁体圧着部２４が形成されており、これらの導体圧着部２３及び絶縁体圧着部２４によってそれぞれ、電線Ｗの導体Ｗ１及び絶縁被覆Ｗ２をそれぞれ加締め圧着するようになっている。
【００２０】
即ち、本実施形態に使用される圧着端子１０には、該圧着端子１０に載置された導体Ｗ１の軸線方向に沿う長手方向（以下、この方向を「前後方向」、これと直交する方向を「左右方向」とよぶ。）の後端部側の電気接触部２２に、電線Ｗの先端部の絶縁被覆Ｗ２を除去することにより露出された導体Ｗ１を圧着するための導体圧着部２３(圧着後は、ワイヤバレルＶ１、Ｖ２とよぶ。)と、電線Ｗの絶縁被覆Ｗ２を有する部分に加締め付けるための被覆加締部２４（圧着後は、絶縁体バレルＶ３、Ｖ４とよぶ。）と、を備えている。これら電気接続部２１と、導体圧着部２３と、絶縁体圧着部２４とは、共通の底板部２０を含むものとして構成される（なお、この圧着加工直前までの底板部２０には、後述する溝Ｇ１，Ｇ２がまだ形成されていないことに留意されたい）。
【００２１】
導体圧着部２３は、電線接続部２１と共通の底板部２０と、この底板部２０の左右両側縁から上方に延長するように起立形成され、かつ、接続すべき電線Ｗの導体Ｗ１を包み込むように内側に曲げられることで電線Ｗの導体Ｗ１を底板部２０の上面に密着した状態となるように加締める２枚の導体加締片２３Ａ、２３Ｂと、を有する。
【００２２】
底板部２０の左右両側縁から上方に延長した２枚の導体加締片２３Ａ、２３Ｂは、圧着端子１０の前端側または後端側から見て断面Ｕ字状になった部分であり、左右対称に配置されている。そして、導体加締片２３Ａ、２３Ｂで電線Ｗの導体Ｗ１を圧着させた後の、導体加締片２３Ａ、２３Ｂが配置されていた位置に形成されるワイヤバレルＶ１、Ｖ２の底板部２０の底面には、前後方向（軸線方向）に沿った一端から他端まで、図２に示すような前後方向に延びる溝Ｇ１、Ｇ２（又は窪み）が形成されている。即ち、本発明の圧着バレルの圧着構造では、詳細は後述するが、スプリングバックの発生を抑制するため、圧着加工の際に、底板部２０の下面の、前後方向（軸線方向）に沿った一端から他端まで、上述のような溝（又は窪み）が形成される。
【００２３】
一方、絶縁体圧着部２４は、底板部２０の左右方向両側縁に、一対の被覆加締片２４Ａ，２４Ｂを上方に延長するように起立形成した断面Ｕ字状の部分を有する。なお、導体圧着部２３と、絶縁体圧着部２４とは、圧着端子１０の前後方向に適当な間隔をおいて配置されている。なお、この絶縁体圧着部２４にも、同様の構造の溝（又は窪み）を加締め圧着加工の際に形成してもよい。
【００２４】
このように構成された、図１（Ａ）に示す圧着端子１０を電線Ｗに圧着固定することにより、同図（Ｂ）に示す、本実施形態の圧着構造が得られる。即ち、左右対称に配置された導体加締片２３Ａ、２３Ｂの間に電線Ｗの導体Ｗ１が配置された状態で、各導体加締片２３Ａ、２３Ｂが、図１（Ｂ）に示すように、導体Ｗ１の外周を包み込むようにそれぞれＣ型に曲げられて加締められており、それにより導体Ｗ１に対して導体圧着部２３が圧着されてワイヤバレルＶ１、Ｖ２を構成している。なお、導体圧着部２３を構成する導体加締片２３Ａ、２３Ｂの加締めによりワイヤバレルＶ１、Ｖ２を形成するときの、導体加締片２３Ａ、２３Ｂの曲げ方向については、図２（Ａ）および（Ｂ）中の矢印で示す。
【００２５】
ここで、圧着端子１０の導体圧着部２３を電線Ｗに圧着するときの圧着方法について、図３〜図６を参照しながら詳細に説明する。
初めに、この圧着作業に使用する圧着装置（例えば、圧着治具）について図３を参照しながら説明する。
この圧着治具は、クリンパ３０とアンビル４０で構成されたのものが用いられる。このうち、クリンパ３０は、いわゆるＦ型と呼ばれるもので、アンビル４０に向けて降下するようになっており、下端両側３１Ａ，３１Ｂが下方へ突出し、それらの間に圧着端子１０を受け入れるガイド溝３２が形成されている。ガイド溝３２の奥部は、左右対称な円弧３３Ａ，３３Ｂを連ねたように切欠き左右の円弧３３Ａ，３３Ｂの間に突出部３４を設けた形状とされている。
【００２６】
一方、クリンパ３０と対向して下側からアンビル４０が上昇するようになっており、アンビル４０の上部はクリンパ３０のガイド溝３２内に入り込む、緩やかな円弧状に形成された上面４１で構成されており、この上面４１が圧着端子１０の底板部２１の下面を支持する。また、特に本発明では、このアンビル４０の上面４１の両端に、圧着後のワイヤバレルＶ１、Ｖ２に電線Ｗの導体Ｗ１に対する固着力を発生させるため、換言すれば、スプリングバックの発生を可及的に抑えることができるようにするため、導体圧着部２３の底板部２１の幅方向の両側部分となる箇所において、軸線方向に沿った一端から他端までの間の任意箇所に、薄肉化のため溝Ｇ１，Ｇ２を形成する、一対の突起４２が上側方向（アンビル４０の上面から底板部２１の下面に向かう方向）に向けて突設されている。
【００２７】
従って、クリンパ３０とアンビル４０の間で圧着端子１０を加締めたとき、導体加締片２３Ａ，２３Ｂは、ガイド溝３２内において、円弧３３Ａ，３３Ｂに沿って内側に円弧状に曲がり、導体加締片２３Ａ，２３Ｂそれぞれの先端が互いに突き当たった後、突出部３４にガイドされて、電線の導体Ｗ１に食い込む。また同時に、導体圧着部２３の底板部２１の幅方向の両側部分となる箇所において、突起４２が食い込むことによって溝Ｇ１，Ｇ２が形成される。これにより、アルファベットの「Ｂ」の文字に似たＢ型の圧着構造が完成する。
【００２８】
次に、このような、圧着装置（例えば、圧着治具）を用いて行う圧着作業について説明する。
初めに、図４（Ａ）に示すように、アンビル４０の上面４１に底板部２１を搭載するように、圧着端子１０をセットするとともに、この圧着端子１０をセットしたアンビル４０上部をクリンパ３０のガイド溝３２内に挿入する。そして、同図（Ｂ）に示すように、アンビル４０を上昇させていくと共にクリンパ３０を降下させていくと（アンビル４０またはクリンパ３０が相手治具に対して相対的に近づく方向に移動すればよい）、アンビル４０の上面４１にセットされている圧着端子１０の導体加締片２３Ａ，２３Ｂの先端部分が、同図（Ｃ）に示すように、クリンパ３０のガイド溝３２に臨む円弧３３Ａ，３３Ｂの表面に沿って互いに近づく方向に押し曲げられていく。
【００２９】
そして、引き続きクリンパ３０を下降させていくと、導体加締片２３Ａ，２３Ｂは、図５(Ａ)から（Ｃ）に示すように、ガイド溝３２内において、円弧３３Ａ，３３Ｂに沿って内側に巻き込まれて円弧状に曲がり、電線Ｗの導体Ｗ１に対する圧着動作が開始される。このとき、図５(Ａ)に示すように、アンビル４０の上面左右に設けた突起４２が、導体加締片２３Ａ，２３Ｂの根元である底板部２１幅方向の両側部分となる箇所に食い込んで、溝Ｇ１，Ｇ２が形成されていく。これにより、導体加締片２３Ａ，２３Ｂは、溝Ｇ１，Ｇ２が形成される部分の厚さが薄くなることで、上記した導体加締片２３Ａ，２３Ｂが内側から外側に向けて広がろうとする復元力を減殺させることができ、スプリングバックの抑制につながる。つまり、後述するように、電線Ｗの導体Ｗ１に導体加締片２３Ａ，２３Ｂが食い込んで圧着する際に、導体加締片２３Ａ，２３Ｂの導体Ｗ１対する隙間の発生を抑え、固着力の増大を図ることができるようになるわけである。
【００３０】
また、図６（Ａ）から（Ｃ）に示す加締め圧着加工の後半工程でも、導体加締片２３Ａ，２３Ｂそれぞれの先端が互いに突き当たった後、突出部３４にガイドされて、電線の導体Ｗ１に食い込んでいく。ここで、上述したように、導体加締片２３Ａ，２３Ｂの根元である底板部２１幅方向の両側部分となる箇所に溝Ｇ１，Ｇ２が形成されたので、スプリングバックの抑制に伴い固着力が増大する。これにより、図５（Ａ）から（Ｃ）の加締め圧着加工の前半工程に比べて、圧着端子１０の左右方向に押し曲げられ、その高さがＨ１（図５（Ｃ）参照）から高さＨ２（但し、Ｈ１＞Ｈ２）へ低く抑えられた扁平な形状に変化する。その結果、図１（Ｂ）に示すように、導体加締片２３Ａ，２３ＢからなるワイヤバレルＶ１、Ｖ２と電線Ｗの芯線Ｗ１との間に隙間が発生することなく、確実で安定した圧着状態を実現できる。その結果、導体圧着部２３と電線の導体Ｗ１との間に隙間が発生して電気的な接触不良などが起きる、といったトラブルを抑止できるので、信頼性の高い圧着構造が提供できる。
【００３１】
ところで、通常の圧着作業では、圧着時のスプリングバックが発生しても、導体加締片２３Ａ，２３Ｂは、電線Ｗの芯線Ｗ１の弾性変形で芯線Ｗ１との間に隙間なく圧着できるが、芯線に弾性変形の少ない材料を用いる場合や樹脂材料での形成部分に圧着させる場合には、スプリングバックを抑制しないと、導体加締片２３Ａ，２３Ｂと電線Ｗの芯線Ｗ１との間に隙間が発生して確実で安定した圧着状態を実現できない虞がある。この点、上記した本実施形態の圧着構造によれば、溝Ｇ１，Ｇ２を形成して薄型化を図ることでスプリングバックの発生を効果的に抑止できるので、弾性変形の少ない材料に対しても、確実で安定した圧着状態を実現できる。
【００３２】
また、本実施形態の圧着構造によれば、圧着加工を行う直前までは、導体加締片２３Ａ，２３Ｂには薄肉部分となる溝Ｇ１，Ｇ２を形成していないので、例えば搬送時や保管時などにこの圧着端子１０に何らかの外力が作用しても、溝Ｇ１，Ｇ２付近での変形等を起こすことがなく、圧着加工作業を行うまでの間、良好な形状を保持できる。その結果、圧着作業の際には、所定の良好な圧着加工を行うことができる。
【００３３】
しかも、本実施形態の圧着構造によれば、底板部２１の幅方向の両側部分となる箇所に溝Ｇ１，Ｇ２である薄肉部が形成されることにより、最もスプリングバックが発生し易い底板部２１と導体加締片２３Ａ，２３Ｂとの繋ぎ目での変位量を、効果的に小さくすることができる。
【００３４】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
例えば、本実施形態では、図１（Ａ）に示すように、底板部２０の両側から起立連成した一対の導体圧着部２３の他に、絶縁体圧着部２４が形成された電気接触部２２を備えた圧着端子１０について、本願発明の圧着バレルの圧着構造を適用したが、これに限定されるものではない。即ち、底板部に導体圧着部のみを設けた、つまり、バレルのみによって構成される「裸圧着スリーブ」に対して、本願発明の圧着バレルの圧着構造を適用してもよい。
【００３５】
また、本実施形態では溝を設けたが、本発明の圧着構造では溝の代わりに窪みを設けてもよい。さらに、本実施形態では、その溝を圧着バレルの軸線方向に沿った一端から他端に至るまで連続して形成させているが、この溝又は窪みは、導体圧着部の軸線方向に沿った底板部の一端から他端に至るまでの間で不連続に形成させた構成であってもよい。
【図面の簡単な説明】
【００３６】
【図１】（Ａ）は本発明の第１実施形態の圧着構造を得るための圧着端子および電線の要部の構成を示す斜視図、（Ｂ）は前記圧着端子を電線に圧着した後の状態を示す斜視図である。
【図２】（Ａ）は同実施形態の要部を示す部分斜視断面図、（Ｂ）はその要部を上下逆さまにした状態での部分斜視断面図である。
【図３】本発明で使用するクリンパとアンビルの要部の構成を示す斜視図である。
【図４】（Ａ）から（Ｃ）は前記圧着端子を電線に圧着する直前までの作業工程を示す説明図である。
【図５】（Ａ）から（Ｃ）は前記圧着端子を電線に圧着するときの前半作業工程を示す説明図である。
【図６】（Ａ）から（Ｃ）は前記圧着端子を電線に圧着するときの後半作業工程を示す説明図である。
【図７】従来の圧着構造を説明するための断面図である。
【図８】（Ａ）は従来の別の圧着構造に用いる圧着端子を説明するための斜視図、（Ｂ）はその圧着端子を電線に圧着した後の状態を示す斜視図である。
【符号の説明】
【００３７】
１０  圧着端子
２０  底板部
２３  導体圧着部
２３Ａ，２３Ｂ  導体加締片（ワイヤバレル）
３０  クリンパ
４０  アンビル
４２  突起
Ｇ１，Ｇ２  溝
Ｖ１，Ｖ２  ワイヤバレル
Ｗ  電線
Ｗ１  導体
Ｗ２  絶縁被覆
【図１】
2010140807.tif 000003
【図２】
2010140807.tif 000004
【図３】
2010140807.tif 000005
【図４】
2010140807.tif 000006
【図５】
2010140807.tif 000007
【図６】
2010140807.tif 000008
【図７】
2010140807.tif 000009
【図８】
2010140807.tif 000010